(57)【要約】  温度変化に応じて電池容量がより大きくなるように二次電池を充電する充電装置、蓄電システム、充電方法及びプログラムを提供する。充電装置は、温度検知部と、温度検知部での予め定められた第１の温度範囲内の第１の温度の検知結果に応答して、二次電池の電圧の上限値を第１の温度範囲に対応する第１の電圧値に可変させ、二次電池の充電を上限値に達するまでとする制御を行う充電制御部と、を備える。
2015064734.tif 000002
【特許請求の範囲】
【請求項１】
温度検知部と、
前記温度検知部での予め定められた第１の温度範囲内の第１の温度の検知結果に応答して、二次電池の電圧の上限値を前記第１の温度範囲に対応する第１の電圧値に可変させ、前記二次電池の充電を前記上限値に達するまでとする制御を行う充電制御部と、
を備えることを特徴とする充電装置。
【請求項２】
予め定められた第２の温度範囲内の第２の温度を検知していた前記温度検知部での前記第２の温度範囲内の温度から前記第１の温度範囲内の温度の検知結果に応答して、前記充電制御部は、前記第２の温度範囲に対応する第２の電圧値から前記第１の電圧値に前記上限値を可変させ、前記上限値が前記第２の電圧値では停止していた前記二次電池の充電を開始し、前記二次電池をあらたな前記上限値である前記第１の電圧値まで充電する制御を行うことを特徴とする請求項１に記載の充電装置。
【請求項３】
予め定められた第２の温度範囲内の第２の温度を検知していた前記温度検知部での前記第２の温度範囲内の温度から前記第１の温度範囲内の温度の検知結果に応答して、前記充電制御部は、前記第２の温度範囲に対応する第２の電圧値から前記第１の電圧値に前記上限値を可変させ、前記上限値が前記第２の電圧値では充電中の前記二次電池に対して前記充電を継続し、前記二次電池をあらたな前記上限値である前記第１の電圧値まで充電する制御を行うことを特徴とする請求項１に記載の充電装置。
【請求項４】
前記第１の電圧値は前記第２の電圧値よりも高いことを特徴とする請求項２又は３に記載の充電装置。
【請求項５】
前記充電制御部は、前記検知温度が前記第２の温度範囲に属することに基づいて前記上限値を前記第２の電圧値に設定し、前記検知温度が、前記第２の温度範囲よりも高い範囲にある前記第１の温度範囲に属することに基づいて前記上限値を前記第１の電圧値に設定することを特徴とする請求項２〜４のいずれか一項に記載の充電装置。
【請求項６】
前記第２の温度範囲は０℃未満の範囲を含むことを特徴とする請求項５に記載の充電装置。
【請求項７】
前記第１の温度範囲は０℃以上の範囲を含むことを特徴とする請求項５又は６に記載の充電装置。
【請求項８】
前記第１の温度範囲内の温度を検知していた前記温度検知部での前記第１の温度範囲から前記第２の温度範囲内の温度の検知結果に基づき、
前記充電制御部は、前記上限値を前記第１の電圧値から前記第２の電圧値に可変させることを特徴とする請求項５〜７のいずれか一項に記載の充電装置。
【請求項９】
前記第２の温度範囲に属する温度を検知した前記温度検知部からの温度情報に応答して、前記充電制御部は、前記二次電池の電圧が予め定められた第３の電圧値に達するまで前記二次電池を第１の電流値で充電し、前記電圧が前記第３の電圧値に達したことの検出に応答して、前記第１の電流値よりも低い第２の電流値で前記第２の電圧値に達するまで前記二次電池の充電を行うことを特徴とする請求項２〜８のいずれか一項に記載の充電装置。
【請求項１０】
前記電圧が前記第２の電圧値に達したことの検出に応答して、前記充電制御部は、予め定められた第３の電流値となるまで前記第２の電圧値で前記二次電池の充電を行うことを特徴とする請求項９に記載の充電装置。
【請求項１１】
前記第１の温度範囲に属する温度を検知した前記温度検知部からの温度情報に応答して、前記充電制御部は、前記二次電池の電圧が前記第１の電圧値に達するまで前記二次電池を第４の電流値で充電し、前記電圧が前記第１の電圧値に達したことの検出に応答して、前記充電制御部は、充電電流が予め定められた第５の電流値となるまで前記第１の電圧値で前記二次電池の充電を行うことを特徴とする請求項９又は１０に記載の充電装置。
【請求項１２】
前記第４の電流値は、前記第１の電流値よりも高いことを特徴とする請求項１１に記載の充電装置。
【請求項１３】
前記温度検知部が検知する温度は、前記二次電池のいずれかの部分の温度、前記二次電池が置かれた環境の温度及び前記充電装置が置かれた環境の温度のうちの少なくとも１つであることを特徴とする請求項１〜１２のいずれか一項に記載の充電装置。
【請求項１４】
前記二次電池はリチウムイオン電池であることを特徴とする請求項１〜１３のいずれか一項に記載の充電装置。
【請求項１５】
請求項１〜１４のいずれか一項に記載の充電装置と、
前記充電装置に接続された前記二次電池と、
前記温度検知部に接続された温度センサと、を備えることを特徴とする蓄電システム。
【請求項１６】
前記二次電池の充電及び放電を管理する電池管理ユニットをさらに備え、
前記電池管理ユニットは前記充電装置を備えることを特徴とする請求項１５に記載の蓄電システム。
【請求項１７】
前記二次電池と充電用電源を接続するためのパワーコンディショナと、
前記電池管理ユニット及び前記パワーコンディショナを制御するシステムコントローラと、をさらに備え、
前記電池管理ユニット、前記パワーコンディショナ及び前記システムコントローラは相互に接続されていることを特徴とする請求項１６に記載の蓄電システム。
【請求項１８】
請求項１〜１４のいずれか一項に記載の充電装置を動作させるプログラム。
【請求項１９】
二次電池の電圧の上限値を、予め定められた第１の温度範囲に対応する第１の電圧値に設定する工程と、
前記二次電池に関連する温度を検知する工程と、
予め定められた第２の温度範囲に属する温度を検知したことに応答して、前記上限値を前記第１の電圧値から第２の電圧値に変更する工程と、
前記第２の温度範囲に属する温度を検知したことに応答して、前記二次電池を前記第２電圧値まで充電する工程と、
を含むことを特徴とする二次電池の充電方法。
【請求項２０】
前記上限値が前記第１の電圧値で充電停止中の状態において、前記第２の温度範囲に属する温度を検知したことに応答して、前記二次電池の充電を開始することを特徴とする請求項１９に記載の充電方法。
【請求項２１】
前記二次電池の電圧が前記第１の電圧値に達するまで前記二次電池を充電して、充電を停止する工程をさらに含むことを特徴とする請求項２０に記載の充電方法。
【請求項２２】
前記第１の電圧値を前記上限値として前記二次電池を充電している状態において、前記第２の温度範囲に属する温度を検知したことに応答して、前記二次電池の充電を継続しながら前記上限値を前記第１の電圧値から前記第２電圧値に変更することを特徴とする請求項１９に記載の充電方法。
【請求項２３】
前記第２の電圧値は前記第１の電圧値よりも高いことを特徴とする請求項１９〜２２のいずれか一項に記載の充電方法。
【請求項２４】
前記上限値として前記第２の電圧値を設定している状態において、前記第１の温度範囲に属する温度を検知したことに応答して、前記上限値を前記第２の電圧値から前記第１の電圧値に変更する工程をさらに含むことを特徴とする請求項１９〜２３のいずれか一項に記載の充電方法。
【請求項２５】
前記第１の電圧値を前記上限値として前記二次電池を充電する工程をさらに含み、
当該工程は、
予め定められた第３の電圧値に達するまで前記二次電池を第１の電流値で充電する工程と、
前記二次電池の電圧が前記第３の電圧値に達したことに応答して、前記第１の電圧値に達するまで、前記第１の電流値よりも低い第２の電流値で前記二次電池を充電する工程と、を含むことを特徴とする請求項１９〜２４のいずれか一項に記載の充電方法。
【請求項２６】
前記第１の電圧値を前記上限値として前記二次電池を充電する工程は、前記二次電池の電圧が前記第１の電圧値に達したことに応答して、充電電流が予め定められた第３の電流値になるまで前記第１の電圧値で前記二次電池を充電する工程をさらに含むことを特徴とする請求項２５に記載の充電方法。
【請求項２７】
前記二次電池を前記第２電圧値まで充電する工程は、
前記二次電池の電圧が前記第２の電圧値に達するまで前記二次電池を第４の電流値で充電する工程と、
前記二次電池の電圧が前記第２の電圧値に達したことに応答して、充電電流が予め定められた第５の電流値になるまで前記第２の電圧値で前記二次電池を充電する工程と、を含むことを特徴とする請求項２５又は２６に記載の充電方法。
【請求項２８】
前記第４電流値は、前記第１の電流値よりも高いことを特徴とする請求項２７に記載の充電方法。
【請求項２９】
前記第１の温度範囲は０℃未満の範囲を含むことを特徴とする請求項１９〜２８のいずれか一項に記載の充電方法。
【請求項３０】
前記第２の温度範囲は０℃以上の範囲を含むことを特徴とする請求項１９〜２９のいずれか一項に記載の充電方法。
【請求項３１】
前記温度は、前記二次電池のいずれかの部分の温度、前記二次電池が置かれた環境の温度、及び前記二次電池を充電する蓄電システムが置かれた環境の温度のうちの少なくとも１つの温度であることを特徴とする請求項１９〜３０のいずれか一項に記載の充電方法。
【請求項３２】
前記二次電池はリチウムイオン電池であることを特徴とする請求項１９〜３１のいずれか一項に記載の充電方法。
【請求項３３】
請求項１９〜３２のいずれか一項に記載の充電方法を制御するためのプログラム。
【発明の詳細な説明】
【技術分野】
【０００１】
［関連出願についての記載］
本発明は、日本国特許出願：特願２０１３−２２８６６８号（２０１３年１１月１日出願）に基づくものであり、同出願の全記載内容は引用をもって本書に組み込み記載されているものとする。
本発明は、二次電池を充電するための充電装置に関する。本発明は、当該充電装置を備える蓄電システムに関する。本発明は、二次電池を充電する充電方法に関する。また、本発明は、当該充電装置を動作させるプログラムないし当該充電方法を制御するプログラムに関する。
【背景技術】
【０００２】
スマートフォン等の携帯機器や電気自動車においては、電源として二次電池（蓄電池）が使用されている。このような二次電池の１つとしては、例えば、リチウムイオン二次電池が知られている。【０００３】
二次電池を充電する場合、通常、事故の発生や電池寿命の短縮を防止するため、過充電を防止する措置が採られている（例えば、特許文献１参照）。【０００４】
特許文献１に記載のリチウムイオン二次電池の充電方法は、リチウムイオン二次電池である電池を、温度によって変更する保護電圧（Ｖp）と比較しながら充電し、電池の電圧が保護電圧（Ｖp）を超えると充電を停止すると共に、温度帯域によって充電電圧（Ｖc）を切り換えて充電する方法であって、最初に最も高い充電電圧（Ｖc）で充電を開始すると共に、電池の温度と電圧を検出し、電池の電圧が、電池の温度から検出される温度帯域の保護電圧（Ｖp）を超えると充電を停止し、充電を停止して電圧が低下すると、電池の温度に対応する充電電圧（Ｖc）で定電圧・定電流充電する。
【先行技術文献】
【特許文献】
【０００５】
【特許文献１】特開２００９−２２０７９号公報
【発明の概要】
【発明が解決しようとする課題】
【０００６】
以下の分析は、本発明の観点から与えられる。【０００７】
過充電を防止するため充電時の電池電圧の上限を設定した場合、その上限電圧が低すぎると、充電完了時点の二次電池の電池容量は不十分なものとなってしまう。例えば、充電時の電池電圧の上限が温度に依存する場合、充電開始時の温度に基づいて上限値を設定しても、充電完了後の温度に基づけば充電開始時よりも上限電圧を高く設定できる場合には、十分な充電を実施することができない。【０００８】
特許文献１に記載の充電方法においては、充電を停止後、電圧低下により充電を再開しなければ保護電圧を切り替えることはしない。したがって、特許文献１に記載の充電方法では、充電完了後に温度が変化しても、それに対応した十分な充電を実施することができない。
【課題を解決するための手段】
【０００９】
本発明の第１視点によれば、温度検知部と、温度検知部で予め定められた第１の温度範囲内の第１の温度の検知結果に応答して、二次電池の電圧の上限値を第１の温度範囲に対応する第１の電圧値に可変させ、二次電池の充電を上限値に達するまでとする制御を行う充電制御部と、を備える充電装置が提供される。【００１０】
本発明の第２視点によれば、第１視点に係る充電装置と、充電装置に接続された二次電池と、温度検知部に接続された温度センサと、を備える蓄電システムが提供される。【００１１】
本発明の第３視点によれば、第１視点に係る充電装置を動作させるプログラムが提供される。【００１２】
本発明の第４視点によれば、二次電池の電圧の上限値を、予め定められた第１の温度範囲に対応する第１の電圧値に設定する工程と、二次電池に関連する温度を検知する工程と、予め定められた第２の温度範囲に属する温度を検知したことに応答して、上限値を第１の電圧値から第２の電圧値に変更する工程と、第２の温度範囲に属する温度を検知したことに応答して、二次電池を第２電圧値まで充電する工程と、を含む二次電池の充電方法が提供される。【００１３】
本発明の第５視点によれば、第４視点に係る充電方法を制御するためのプログラムが提供される。
【発明の効果】
【００１４】
充電時の電池電圧の上限が温度依存する場合に、温度変化の状況に応じて電池容量をより高めることができる。
【図面の簡単な説明】
【００１５】
【図１】第１実施形態に係る充電装置の一例を示す概略ブロック図。
【図２】第２実施形態に係る充電装置の一例を示す概略ブロック図。
【図３】第１実施形態及び第２実施形態に係る充電装置の動作、二次電池の充電方法、並びに充電装置を動作させるないし充電方法を制御するプログラムを説明するためのフローチャート。
【図４】第３実施形態に係る充電装置の動作、二次電池の充電方法、並びに充電装置を動作させるないし充電方法を制御するプログラムを説明するためのフローチャート。
【図５】第４実施形態に係る充電装置の動作、二次電池の充電方法、並びに充電装置を動作させるないし充電方法を制御するプログラムを説明するためのフローチャート。
【図６】第５実施形態に係る充電装置の一例を示す概略ブロック図。
【図７】第５実施形態に係る充電装置の動作、二次電池の充電方法、並びに充電装置を動作させるないし充電方法を制御するプログラムを説明するためのフローチャート。
【図８】第６実施形態に係る充電装置の動作、二次電池の充電方法、並びに充電装置を動作させるないし充電方法を制御するプログラムを説明するためのフローチャート。
【図９】第６実施形態における充電電圧及び充電電流の推移を示す概略図。
【図１０】第６実施形態における充電電圧及び充電電流の推移を示す概略図。
【図１１】第６実施形態における充電電圧及び充電電流の推移を示す概略図。
【図１２】第６実施形態における充電電圧及び充電電流の推移を示す概略図。
【図１３】第７実施形態における充電電圧及び充電電流の推移を示す概略図。
【図１４】第７実施形態における充電電圧及び充電電流の推移を示す概略図。
【図１５】第８実施形態における充電電圧及び充電電流の推移を示す概略図。
【図１６】第９実施形態に係る充電装置の動作、二次電池の充電方法、並びに充電装置を動作させるないし充電方法を制御するプログラムを説明するためのフローチャート。
【図１７】第１０実施形態に係る蓄電システムの一例を示す概略図。
【図１８】第１１実施形態に係る蓄電システムの一例を示す概略図。
【発明を実施するための形態】
【００１６】
以下の説明において、図面参照符号は発明の理解のために付記しているものであり、図示の態様に限定することを意図するものではない。各実施形態において、同じ要素には同じ符号を付してある。
【００１７】
第１実施形態に係る充電装置について説明する。図１に、第１実施形態に係る充電装置の一例を示す概略ブロック図を示す。充電装置１００は二次電池を充電するための回路を含む。二次電池としては、例えば、リチウムイオン電池を使用することができる。リチウムイオン電池には、種々の形態の電池を適用することができる。正極材料としては、例えば、コバルト酸リチウム（LiCoO2）を用いたコバルト系正極、マンガン酸リチウム（LiMn2O4）を用いたマンガン系正極、ニッケル酸リチウム（LiNiO2）を用いたニッケル系正極等を使用することができる。負極材料、電解質材料及びセパレータ材料は限定されない。負極材料としては、例えば、黒鉛を使用することができる。二次電池は、単セルでもよいし、所定の電圧が得られるように複数のセルを直列に接続した少なくとも１つの電池パックであってもよい。二次電池が複数の電池パックを有する場合、複数の電池パックは、並列的に接続してもよいし、直列的に接続してもよい。充電装置１００を適用する二次電池は、リチウムイオン電池に限定されることはない。例えば、充電装置１００は、水素吸蔵合金を使用するニッケル水素電池に適用してもよい。以下の各実施形態においては、リチウムイオン電池の充電を例にして説明する。
【００１８】
充電装置１００は、後述の電池関連温度を検知する温度検知部１０１と、二次電池の電圧が予め設定された上限値に達するように二次電池の充電を制御する充電制御部１０２と、を備える。温度検知部１０１は、検知した温度情報を充電制御部１０２に出力する。充電制御部１０２は、温度検知部１０１からの温度情報に基づいて、二次電池の電圧の上限を設定し、二次電池の充電を制御する。
【００１９】
温度検知部１０１が検知する温度は、二次電池のいずれかの部分の温度であると好ましい。リチウムイオン電池の充電時において、二次電池の温度はリチウム等の危険物質の析出に影響するからである。二次電池の温度を検知する場合、例えば、セルの温度、セル間の温度、セル間を接続する導体の温度等を検知することができる。また、温度検知部１０１が検知する温度は、二次電池自体の温度に限定されず、二次電池、充電装置１００又は後述の蓄電システムが置かれた環境の温度であってもよい。これらの環境温度は、二次電池の温度に大きく影響するからである。二次電池、充電装置１００又は蓄電システムが設置される環境温度としては、例えば、二次電池が自動車に搭載されている場合、当該自動車が置かれている屋外や車庫内の気温が挙げられる。また、二次電池が携帯機器に搭載されている場合、例えば、二次電池や携帯機器が曝されている気温が挙げられる。以下、温度検知部１０１が検知する温度を「電池関連温度」と表記する。
【００２０】
以下の各実施形態においては、安全性を確保するため、リチウム等の危険物質が析出する危険性に応じて、電池関連温度が属する温度範囲を２以上の領域に区分している。第１〜第７実施形態においては、温度範囲を第１温度範囲と第２温度範囲の２つに区分している。第１温度範囲と第２温度範囲とは隣接するように設定すると好ましい。温度範囲の境界は任意に設定することができる。例えば、第１温度範囲と第２温度範囲との境界は、第１温度範囲において、第２温度範囲と同じ条件で充電するとリチウム等の危険物質が析出する危険性が高くなることを避けるように設定することができる。そして、充電時の二次電池の電圧の上限値は、第１温度範囲と第２温度範囲とで別個の電圧値に設定すると好ましい。ここでは、第１温度範囲における充電時の二次電池の電圧の上限値を第１電圧値と表記し、第２温度範囲における充電時の二次電池の電圧の上限値を第２電圧値と表記する。例えば、第１温度範囲は、電池関連温度が−１０℃未満の領域、好ましくは０℃未満の領域を含むように設定することができる。また、第２温度範囲は、１０℃以上の領域、好ましくは０℃以上の領域を含むように設定することができる。この場合、例えば、第１電圧値は４．１Ｖ以上４．１５Ｖ未満の範囲内に設定することができる。また、第２電圧値は４．１５Ｖ以上４．２Ｖ以下の範囲に設定することができる。
【００２１】
第１実施形態に係る充電装置の動作、二次電池の充電方法、並びに充電装置を動作させるないし充電方法を制御するプログラムについては後述する。
【００２２】
次に、第２実施形態に係る充電装置について説明する。図２に、第２実施形態に係る充電装置の一例を示す概略ブロック図を示す。
【００２３】
充電装置２００は、第１実施形態に係る充電装置の構成に加えて、充電時の二次電池の充電制御に関連する電圧（例えば上限値）を設定する電圧設定部１０３を備える。温度検知部１０１は、検知した温度情報を少なくとも電圧設定部１０３に出力する。電圧設定部１０３は、温度検知部１０１からの温度情報に基づいて、二次電池の電圧の上限値を設定する。電圧設定部１０３は、設定した上限値情報を少なくとも充電制御部１０２に出力する。充電制御部１０２は、電圧設定部１０３からの上限値情報に基づいて、二次電池の充電を制御する。
【００２４】
第１実施形態及び第２実施形態に係る充電装置の動作、二次電池の充電方法、並びに充電装置を動作させるないし充電方法を制御するプログラムについて説明する。図３に、第１実施形態及び第２実施形態に係る充電装置の動作、二次電池の充電方法、並びに充電装置を動作させるないし充電方法を制御するプログラムを説明するためのフローチャートを示す。
【００２５】
まず、二次電池の充電を開始する前に、充電制御部１０２は、過充電を防止するため、充電時の二次電池の電圧の上限値を予め定められた第１電圧値に設定する。あるいは、電圧設定部１０３が、充電時の二次電池の電圧の上限値を第１電圧値に設定する（Ｓ１０１）。電圧設定部１０３は、第１電圧値を設定したとする上限値情報を充電制御部１０２に出力する。次に、充電制御部１０２は、二次電池と充電用電源との接続の検知情報又は電圧設定部１０３からの上限値情報に応答して、二次電池の充電を開始する（Ｓ１０２）。なお、二次電池の電圧が第１電圧値に達しない範囲であれば、充電を開始した後に、二次電池の電圧の上限値を設定してもよい。充電制御部１０２は、二次電池の電圧が第１電圧値に達するまで二次電池を充電する（Ｓ１０３，Ｓ１０４）。Ｓ１０２において、充電開始前に二次電池の電圧が第１電圧値以上である状態においては、充電制御部１０２は充電を開始しない。
【００２６】
次に、温度検知部１０１は、少なくとも充電が停止した後、電池関連温度を検知する（Ｓ１０５）。温度検知部１０１は、時間的に離間して間隔をもった検知を行うと好ましい。当該間隔は、１秒未満単位の期間、数秒単位の期間、数分単位の期間等、適宜設定することができる。温度検知部１０１は、充電開始前から温度検知を継続してもよい。温度検知部１０１は、少なくとも電池電圧が第２電圧値に達するまで温度検知を継続すると好ましい。温度検知部１０１は、検知した温度情報を充電制御部１０２及び電圧設定部１０３の少なくとも一方に出力する。
【００２７】
次に、充電制御部１０２又は電圧設定部１０３は、温度検知部１０１が検知した電池関連温度が第２温度範囲に属する場合には、温度検知部１０１からの温度情報に応答して、充電時の二次電池の電圧の上限値を、第１電圧値よりも高い第２電圧値に変更する（Ｓ１０６，Ｓ１０７）。電圧設定部１０３が上限値を設定した場合には、電圧設定部１０３は、第２電圧値を設定したとする上限値情報を充電制御部１０２に出力する。次に、充電制御部１０２は、温度検知部１０１からの温度情報及び電圧設定部１０３からの上限値情報のうち少なくとも一方に応答して、二次電池の充電を開始し、二次電池の電圧が第２電圧値に達するまで二次電池を充電する（Ｓ１０８，Ｓ１０９）。二次電池の電圧が第２電圧値に達したことの検出に応答して、充電制御部１０２は二次電池の充電を停止する（Ｓ１１０）。
【００２８】
二次電池の充電形式は適宜適当な方式を選択することができる。例えば、後述するようないわゆる定電流（ＣＣ；Constant Current）充電を選択することができる。また、定電流充電といわゆる定電圧（ＣＶ；Constant Voltage）充電とを組み合わせてもよい。あるいは、電池電圧と充電電流の対応関係を示すテーブルを予め設定し、そのテーブルに基づいて充電を制御してもよい。
【００２９】
上記方法の各ステップをプログラムの各処理とすることでプログラムは実現することができる。以下の実施形態においても同様である。
【００３０】
第１実施形態及び第２実施形態によれば、充電開始時には上限電圧値を低く設定せざるを得ない場合であっても、温度変化に伴い上限電圧値を高く設定可能な条件になったら自動的に電池容量を高めることができる。
【００３１】
第１実施形態及び第２実施形態の効果について、自動車に搭載されたリチウムイオン二次電池を例にして説明する。電気自動車においては、通常、高容量が要求される。このため、充電時間も長くならざるを得ない。そこで、電気自動車に搭載された二次電池の充電は、使用者が自動車を使用しない夜間に充電することが望まれる。特に、負荷平準化を目的として、通常、夜間の電力単価は昼間の電力単価より低く設定されているため、電力コストの低減のためにも夜間に充電が完了することが望まれる。一方、リチウムイオン電池の充電の場合、リチウムが析出しないような電池電圧とする必要がある。上述のように、リチウムの析出に影響する要因の１つとして、二次電池の温度が挙げられる。したがって、低温条件においては電池電圧が低くなるように設定する必要がある。例えば、冬季夜間の充電、特に寒冷地方における冬季夜間の充電においては、昼間の充電における上限電圧よりも低く電池電圧を設定する必要がある。例えば、第２実施形態にいう第１温度範囲を０℃未満とし、第２温度範囲を０℃以上と設定した場合、第１電圧値を４．０Ｖ、第２電圧値を４．２Ｖのように設定する必要がある。この場合、充電開始時の温度が０℃未満であった場合には、第１電圧値４．０Ｖで充電を終了することになるので、二次電池の容量は小さくなってしまう。しかしながら、充電開始時には電池関連温度が０℃未満であっても、充電中や使用者が自動車の使用を開始する前の時点では電池関連温度が０℃以上になっている場合がある。この場合には、使用者の利便性及び電力コストを考慮すると、使用者の使用開始前の夜間に第２電圧値４．２Ｖまで二次電池を充電しておくことが望まれる。第１実施形態及び第２実施形態によれば、外気温の上昇、加熱手段の利用、暖房器具の運転等の要因によって、上限電圧を高めることができる温度となった場合に、使用者が自動車を使用していない時間帯、特に電力単価の低い時間帯に、二次電池を第２電圧値まで充電することができる。これにより、使用者が使用していない間に二次電池を最大限まで充電することができると共に、電力コストを低減することができる。また、充電中にリチウムが析出する危険性の高低に応じて上限電圧を変動させるので、安全性を確保することができる。
【００３２】
次に、第３実施形態に係る充電装置の動作、二次電池の充電方法、並びに充電装置を動作させるないし充電方法を制御するプログラムについて説明する。図４に、第３実施形態に係る充電装置の動作、二次電池の充電方法、並びに充電装置を動作させるないし充電方法を制御するプログラムを説明するためのフローチャートを示す。第３実施形態における充電装置の構成及び温度範囲の設定は第１実施形態又は第２実施形態と同様である。第１実施形態及び第２実施形態においては、第１電圧値まで充電した後に、二次電池の電圧の上限値を変更した。第３実施形態は、第１電圧値まで充電している最中であっても、温度変化があった場合に上限電圧を変更する形態である。
【００３３】
Ｓ２０１及びＳ２０２は、図３に示すＳ１０１及びＳ１０２と同様である。
【００３４】
次に、温度検知部１０１は、充電開始後、第１実施形態及び第２実施形態と同様にして電池関連温度を検知する（Ｓ２０３）。温度検知部１０１は、検知した温度情報を充電制御部１０２及び電圧設定部１０３の少なくとも一方に出力する。
【００３５】
次に、温度検知部１０１が検知した電池関連温度が第２温度範囲に属する場合には、充電制御部１０２が充電を継続している状態において、充電制御部１０２又は電圧設定部１０３は、温度検知部１０１からの温度情報に応答して、充電時の電圧上限値を、第１電圧値よりも高い第２電圧値に変更する（Ｓ２０４，Ｓ２０５）。その後は、図３に示すＳ１０９及びＳ１１０と同様である（Ｓ２０６，Ｓ２０７）。
【００３６】
Ｓ２０４において温度検知部１０１が検知した電池関連温度が第２温度範囲に属していない場合に、電池電圧が第１電圧値に達していない状態においては、温度検知部１０１は再度電池関連温度を検知する（Ｓ２０８，Ｓ２０３）。
【００３７】
Ｓ２０４において温度検知部１０１が検知した電池関連温度が第２温度範囲に属していない場合に、電池電圧が第１電圧値に達したことが検知されたら、これに応じて充電制御部１０２は充電を停止する（Ｓ２０８，Ｓ２０９）。その後は、図３に示すＳ１０５〜Ｓ１１０と同様である（Ｓ２１０〜Ｓ２１３，Ｓ２０６，Ｓ２０７）。
【００３８】
第３実施形態によれば、第１実施形態及び第２実施形態と同様の効果を得ることができる。また、第１電圧値に充電している途中に第２温度範囲に移行した場合に、充電を停止させることがないので、より短時間で充電を完了することができる。
【００３９】
第３実施形態の上記以外の形態は、第１実施形態及び第２実施形態と同様である。
【００４０】
次に、第４実施形態に係る充電装置の動作、二次電池の充電方法、並びに充電装置を動作させるないし充電方法を制御するプログラムについて説明する。図５に、第４実施形態に係る充電装置の動作、二次電池の充電方法、並びに充電装置を動作させるないし充電方法を制御するプログラムを説明するためのフローチャートを示す。第４実施形態における充電装置の構成及び温度範囲の設定は第１実施形態及び第２実施形態と同様である。第１〜第３実施形態においては充電を開始した後に温度を検知したが、第４実施形態においては充電開始前に温度を検知する。
【００４１】
まず、温度検知部１０１は、充電開始後、第２実施形態と同様にして電池関連温度を検知する（Ｓ３０１）。温度検知部１０１は、検知した温度情報を充電制御部１０２及び電圧設定部１０３のうち少なくとも一方に出力する。
【００４２】
充電制御部１０２又は電圧設定部１０３は、温度検知部１０１が検知した電池関連温度が第１温度範囲に属する場合には、温度検知部１０１からの温度情報に応答して、充電時の二次電池の電圧の上限値を第１電圧値に設定する（Ｓ３０３）。充電制御部１０２又は電圧設定部１０３は、第２温度範囲に属する場合には、充電時の二次電池の電圧の上限値を第１電圧値よりも高い第２電圧値に設定する（Ｓ３１０）。電圧設定部１０３が上限値を設定した場合には、電圧設定部１０３は、上限値を設定した情報を充電制御部１０２に出力する。次に、充電制御部１０２は、温度検知部１０１からの温度情報又は電圧設定部１０３からの上限値情報に応答して、二次電池の充電を開始する（Ｓ３０４，Ｓ３１１）。
【００４３】
上限電圧に第２電圧値が設定されて充電が開始された場合、以後のフローは、図３に示すＳ１０９及びＳ１１０と同様である（Ｓ３０８，Ｓ３０９）。
【００４４】
上限電圧に第１電圧値が設定されて充電が開始された場合、以後のフローは、図４に示すＳ２０３〜Ｓ２１３と同様である（Ｓ３０５〜Ｓ３０９，Ｓ３１２〜Ｓ３１７）。
【００４５】
第４実施形態によれば、第１実施形態及び第２実施形態と同様の効果を得ることができる。また、充電開始時の温度に応じて、より適切な電圧上限値を設定することができる。これにより、充電開始時の温度が第２温度範囲に属する場合には、より短時間で充電を完了することができる。
【００４６】
上記説明では第３実施形態を基礎に第４実施形態を説明したが、第１実施形態及び第２実施形態にも第４実施形態を適用することもできる。第４実施形態の上記以外の形態は、第１実施形態及び第２実施形態と同様である。
【００４７】
次に、第５実施形態に係る充電装置について説明する。図６に、第５実施形態に係る充電装置の一例を示す概略ブロック図を示す。第５実施形態に係る充電装置３００は、第１実施形態及び第２実施形態に係る充電装置のより好ましい形態である。
【００４８】
充電装置３００は、第１実施形態及び第２実施形態における温度検知部１０１、電圧設定部１０３及び充電制御部１０２に加えて、充電用電源と二次電池との接続の有無を検知する接続検知部１０４と、二次電池の電圧を検知する電圧検知部１０５と、をさらに備える。また、充電装置３００は、各種データを記憶する記憶部１０８と、温度検知部１０１が検知した温度が属する温度範囲を判定する温度範囲判定部１０６と、設定された上限値と二次電池の電圧との大小を比較する電圧比較部１０７と、をさらに備える。記憶部１０８は、例えば、温度範囲に対応する上限電圧値、充電時の温度範囲、定電流充電における電流値、定電圧充電における充電電圧値、定電圧充電における充電終了電流値、充電開始電圧値等必要な情報を適宜記憶する。なお、充電装置３００は、上記のすべての部を備えなくてもよい。
【００４９】
接続検知部１０４は、検知した接続情報を少なくとも温度検知部１０１及び電圧検知部１０５に出力するように構成することができる。温度検知部１０１は、接続検知部１０４からの接続情報に基づいて、電池関連温度を検知するように構成することができる。温度検知部１０１は、検知した温度情報を少なくとも温度範囲判定部１０６、電圧設定部１０３及び充電制御部１０２のうち少なくとも１つに出力するように構成することができる。電圧検知部１０５は、接続検知部１０４からの接続情報に基づいて、二次電池の電圧を検知するように構成することができる。電圧検知部１０５は、検知した電圧情報を少なくとも電圧比較部１０７及び充電制御部１０２に出力するように構成することができる。温度範囲判定部１０６は、温度検知部１０１からの温度情報に基づいて、電池関連温度が属する温度範囲を判定するように構成することができる。温度範囲判定部１０６は、判定した温度範囲情報を少なくとも電圧設定部１０３及び充電制御部１０２のうち少なくとも１つに出力するように構成することができる。充電制御部１０２又は電圧設定部１０３は、温度範囲判定部１０６からの温度範囲情報に基づいて、上限値を設定するように構成することができる。電圧設定部１０３が上限値を設定した場合、電圧設定部１０３は、設定した上限値情報を少なくとも充電制御部１０２及び電圧比較部１０７のうち少なくとも１つに出力するように構成することができる。電圧比較部１０７は、電圧検知部１０５からの電圧情報に基づいて、設定された上限値と二次電池の電圧値とを比較するように構成することができる。電圧比較部１０７は、比較結果情報を少なくとも充電制御部１０２に出力するように構成することができる。充電制御部１０２は、各部からの情報の少なくとも１つに基づいて、二次電池の充電を制御するように構成することができる。
【００５０】
次に、第５実施形態に係る充電装置の動作、二次電池の充電方法、並びに充電装置を動作させるないし充電方法を制御するプログラムについて説明する。図７に、第５実施形態に係る充電装置の動作、二次電池の充電方法、並びに充電装置を動作させるないし充電方法を制御するプログラムを説明するためのフローチャートを示す。ここでは、第４実施形態を基礎とした第５実施形態に係る充電装置の動作及び充電方法について説明するが、第１〜第３実施形態にも第５実施形態を適用することもできる。
【００５１】
まず、接続検知部１０４は、二次電池と充電用電源とが電気的に接続されたかを検知する（Ｓ４０１）。例えば、電気自動車に搭載された二次電池である場合には、接続検知部１０４は、車載充電器と充電用電源とが接続されたかを検知する。携帯機器に搭載された二次電池である場合には、接続検知部１０４は、電源に接続された充電器と携帯機器とが接続されたかを検知する。接続検知部１０４は、少なくとも温度検知部１０１及び電圧検知部１０５に、充電用電源との接続情報を出力する。接続検知部１０４は、接続情報を他の部に出力してもよい。
【００５２】
次に、接続検知部１０４からの接続情報に応答して、温度検知部１０１は、少なくとも、接続が確認された以後の電池関連温度を検知する（Ｓ４０２）。なお、温度検知部１０１は、二次電池と充電用電源との接続前に、温度を検知してもよい。以後、温度検知部１０１は、充電中及び充電停止中にかかわらず、少なくとも二次電池が第２電圧値に達するまで、電池関連温度の検知を時間的に離間して間隔をもって継続する。図７において、Ｓ４０２以降の温度検知は図示していない。
【００５３】
次に、温度検知部１０１が検知した温度情報に応答して、温度範囲判定部１０６は、記憶部１０８を参照し、温度検知部１０１が検知した温度がどの温度範囲に属するかを判定する（Ｓ４０３）。温度範囲判定部１０６は、瞬間的な温度で温度範囲を判定してもよいし、一定期間の温度や平均温度を基に温度範囲を判定してもよい。例えば、温度範囲判定部１０６は、１つの温度情報を基に温度範囲を判定してもよいし、所定期間の複数の温度情報を基に温度範囲を判定してもよい。記憶部１０８は、予め、温度と温度範囲の対応関係について記憶しておくと好ましい。温度範囲判定部１０６は、判定した温度範囲情報を電圧設定部１０３及び充電制御部１０２のうち少なくとも１つに出力する。
【００５４】
次に、温度範囲判定部１０６からの温度範囲情報に応答して、充電制御部１０２又は電圧設定部１０３は、記憶部１０８を参照し、二次電池の電圧の上限値を温度範囲に対応した電圧値に設定する。記憶部１０８は、予め、温度範囲と上限電圧の対応関係について記憶しておくと好ましい。充電制御部１０２又は電圧設定部１０３は、検知温度が第１温度範囲に属する場合、上限電圧を第１電圧値に設定する（Ｓ４０４）。充電制御部１０２又は電圧設定部１０３は、検知温度が第２温度範囲に属する場合、上限電圧を第２電圧値に設定する（Ｓ４１２）。記憶部１０８は、設定した上限電圧値を記憶する。電圧設定部１０３が上限値を設定した場合、電圧設定部１０３は、設定した上限値情報を電圧比較部１０７及び充電制御部１０２に出力する。
【００５５】
電圧検知部１０５は、接続検知部１０４からの接続情報に応答して、二次電池の電圧を検知する。電圧検知部１０５は、充電用電源との接続以後の電池電圧の検知を時間的に離間した間隔を持って継続的に検知すると好ましい。電圧検知部１０５は、検知した二次電圧の電圧値情報を電圧比較部１０７に出力する。
【００５６】
次に、電圧検知部１０５からの電圧情報に基づいて、電圧比較部１０７は、二次電池の電圧値と、設定された上限値とを比較する（Ｓ４０５，Ｓ４１３）。電圧比較部１０７は、比較結果情報を充電制御部１０２に出力する。電池電圧値が上限値より低い場合、充電制御部１０２は、電圧比較部１０７からの比較結果情報に応答して、二次電池の充電を開始する（Ｓ４０６，Ｓ４１４）。電池電圧が上限電圧値以上である場合、温度検知ステップ（Ｓ４０２）以降を繰り返す。
【００５７】
充電制御部１０２は、電圧比較部１０７からの比較結果情報、温度検知部１０１からの温度情報又は温度範囲判定部１０６からの温度範囲情報に応答して、予め定められた第１電圧値又は第２電圧値を電池電圧の上限値に設定して二次電池の充電を行ってもよい。
【００５８】
ここでは、充電を開始する電圧値と充電時の上限値とを同じ値に設定してある例について説明した。しかし、充電開始電圧値は、上限値とは別個の電圧値に設定することもできる。例えば、充電開始電圧値を第１電圧値よりも低い電圧値に設定して、記憶部１０８はこの充電開始電圧値を記憶する。この場合、電圧比較部１０７は、電池電圧値と当該充電開始電圧値とを比較する。そして、充電制御部１０２は、電池電圧値が当該充電開始電圧値未満である場合に充電を開始する。電池電圧値が第１電圧値未満であっても、充電開始電圧値以上である場合には充電制御部１０２は充電を開始しない。
【００５９】
なお、電圧検知ステップ及び電圧比較ステップは、温度検知ステップの前に実施してもよい。
【００６０】
電圧検知部１０５からの電圧情報に基づいて、電圧比較部１０７は電池電圧が第２電圧値まで達したかを判断する。電池電圧が第２電圧値まで達した場合、充電制御部１０２は、電圧比較部１０７からの比較結果情報に応答して充電を停止する（Ｓ４１０，Ｓ４１１）。この場合、充電時の電圧上限値が、許容範囲における最大値に設定されているので、二次電池を最大容量まで充電することができる。
【００６１】
充電時の電圧上限値が第１電圧値に設定され、検知温度が第２温度範囲に属する前の状態において、検知電圧が第１電圧値に達した場合には、充電制御部１０２は、電圧比較部１０７からの比較結果情報に応答して充電を停止する（Ｓ４０７，Ｓ４１５）。この場合、充電を停止した後においても、温度検知部１０１は、電池関連温度の検知を継続する。充電停止後、検知温度が第２温度範囲に属した場合には、温度範囲判定部１０６からの温度範囲情報に応答して、電圧設定部１０３は、二次電池の電圧の上限値を第２電圧値に変更する（Ｓ４１６，Ｓ４１７）。次に、充電制御部１０２は、温度範囲判定部１０６からの温度範囲情報又は電圧設定部１０３からの上限値情報に応答して、充電を開始し、上記と同様にして二次電池の電圧が第２電圧値に達するまで二次電池を充電する（Ｓ４１８，Ｓ４１０，Ｓ４１１）。
【００６２】
充電時の上限値が第１電圧値に設定され、検知電圧が第１電圧値に達する前の状態において、検知温度が第２温度範囲に属することになった場合には、温度範囲判定部１０６からの温度範囲情報に応答して、充電制御部１０２又は電圧設定部１０３は、充電中に、二次電池の電圧の上限値を第２電圧値に変更する（Ｓ４０７〜Ｓ４０９）。次に、充電制御部１０２は、充電を継続し、上記と同様にして二次電池の電圧が第２電圧値に達するまで二次電池を充電する（Ｓ４１０，Ｓ４１１）。
【００６３】
第５実施形態によれば、第１実施形態及び第２実施形態と同様の効果を得ることができる。また、充電中及び充電停止中にかかわらず、温度状況に応じて、より適切な上限値を設定することができる。また、充電が停止している時間を低減させることができる。これにより、安全かつ短時間で充電を完了することができる。
【００６４】
第５実施形態に係る充電装置３００は、第１〜第４実施形態に適用することもできる。第５実施形態の上記以外の形態は、第１〜第４実施形態と同様である。
【００６５】
次に、第６実施形態に係る充電装置の動作、二次電池の充電方法、並びに充電装置を動作させるないし充電方法を制御するプログラムについて説明する。図８に、第６実施形態に係る充電装置の動作、二次電池の充電方法、並びに充電装置を動作させるないし充電方法を制御するプログラムを説明するためのフローチャートを示す。第６実施形態における充電装置の構成及び温度範囲の設定は第５実施形態と同様である。第６実施形態は第５実施形態の好ましい充電形態である。ここでは、第５実施形態を基礎とした第６実施形態に係る充電装置の動作及び充電方法について説明するが、第１〜第４実施形態にも第６実施形態を適用することもできる。
【００６６】
まず、第５実施形態と同様にして、接続検知部１０４は、二次電池と充電用電源とが電気的に接続されたかを検知する（Ｓ５０１）。接続検知部１０４は、温度検知部１０１及び電圧検知部１０５に、充電用電源との接続情報を出力する。接続検知部１０４は、接続情報を他の部に出力してもよい。
【００６７】
次に、電圧検知部１０５は、接続検知部１０４からの接続情報に応答して、二次電池の電圧を検知する。以後、電圧検知部１０５は、時間的に離間した間隔をもって継続的に電池電圧を検知すると好ましい。電圧検知部１０５は、検知した情報を電圧比較部１０７に出力する。次に、電圧比較部１０７は、電圧検知部１０５からの電圧情報に応答して、検知した電圧値と、予め設定された充電開始電圧値とを比較する。上述のように、充電開始電圧値は、充電時の上限値と同じ値であってもよいし、異なる値であってもよい。温度検知部１０１は、接続検知部１０４からの接続情報に応答して、接続検知部１０４が接続を検知した以後の電池関連温度を検知する（Ｓ５０２，Ｓ５０３）。図８に示すフローでは、電圧比較後に温度検知を行っているが、電圧比較と温度検知の前後については限定されない。また、温度検知部１０１は、二次電池と充電用電源との接続前に温度を検知してもよい。温度検知部１０１は、温度範囲判定部１０６に、検知した温度情報を出力する。
【００６８】
次に、第５実施形態と同様にして、温度検知部１０１から温度情報に基づいて、温度範囲判定部１０６は、記憶部１０８を参照し、温度検知部１０１が検知した温度がどの温度範囲に属するかを判定する（Ｓ５０４）。温度範囲判定部１０６は、温度範囲情報を電圧設定部１０３及び充電制御部１０２のうち少なくとも１つに出力する。
【００６９】
次に、電池関連温度が第１温度範囲に属する場合、温度範囲判定部１０６の温度範囲情報に応答して、充電制御部１０２又は電圧設定部１０３は、記憶部１０８を参照し、二次電池の電圧の上限値を第１電圧値に設定する（Ｓ５０５）。電圧設定部１０３が上限値を設定した場合、電圧設定部１０３は、上限値情報を充電制御部１０２に出力する。
【００７０】
次に、電圧比較部１０７は、電圧検知部１０５からの電圧情報に基づいて、電池電圧と、予め定められた第３電圧値とを比較する（Ｓ５０６）。電圧比較部１０７は、比較結果情報を充電制御部１０２に出力する。
【００７１】
第３電圧値は、第１温度範囲において充電する場合に、リチウム等の危険物質を析出させること無く、より短時間で充電を完了するための電圧値である。すなわち、電池電圧が第３電圧値に達すると、充電制御部１０２は充電形式を切り替える。充電時間を短くするためにはより高い電流で充電する方が好ましい。しかしながら、電池関連温度が低く、電池電圧が高い場合に、高電流で充電すると、危険性の高いリチウムやリチウム化合物が生成される可能性がある。例えば、第１温度範囲（例えば０℃未満）において、高電流で第１電圧値（例えば４．１Ｖ以上）まで充電すると、第１電圧値付近において危険物質が析出する危険性が高くなる。したがって、安全性を確保するために、第１電圧値付近では低電流で充電することが好ましい。そこで、低電池電圧では高電流充電し、高電池電圧では低電流充電すれば、安全にかつ迅速に充電を完了することができる。第３電圧値は、高電流（以下の形態でいえば第１電流値）で充電してもリチウム等が生成しないように設定された電圧値である。したがって、第３電圧値は、第１電圧値よりも低く設定される。
【００７２】
電圧検知部１０１が検知した電池電圧が第３電圧値より低い場合に、電圧比較部１０７からの比較結果情報に応答して、電圧設定部１０３が、記憶部１０８を参照し、充電形式の切替電圧値を第３電圧値に設定してもよい（Ｓ５０７）。この場合には、電圧設定部１０３は、切替電圧値を設定した情報を充電制御部に出力する。充電制御部１０２は、電圧比較部１０７からの比較結果情報又は電圧設定部１０３からの情報に応答して、第３電圧値に達するまで第１電流値で充電を開始する（Ｓ５０８；第１定電流充電ステップ）。第１電流値は、温度に応じて変動させることもできる。第１電流値は、予め定めておくと好ましい。
【００７３】
電池電圧が第３電圧値に達する前に、温度が属する温度範囲が変化した場合、電圧設定部１０３は、上記実施形態と同様にして、充電時の電池電圧の上限値を第２電圧値に変更する（Ｓ５０９〜Ｓ５１１）。充電制御部１０２は第２電圧値に達するまで定電流充電を継続する。このとき、充電制御部１０２は、充電電流値を変更してもよい。例えば、温度が高くなったことによって危険物質析出の危険性が低下したので、充電制御部１０２は、第１電流値よりも高い第２電流値で充電してもよい（Ｓ５１２）。これにより、より短時間で充電を完了することができる。第２電流値は、予め定めておくと好ましい。
【００７４】
次に、電池電圧が第２電圧値に達した場合には、電圧比較部１０７からの比較結果情報に応答して、充電制御部１０２は、第２電圧値での充電に切り替える（Ｓ５１３，Ｓ５１４；定電圧充電ステップ）。これにより、電池容量をより高めることができる。そして、充電電流が予め定められた電流値（充電終止電流値）以下になった場合に、充電制御部１０２は充電を停止する（Ｓ５１５，Ｓ５１６）。
【００７５】
充電開始時の温度が第２温度範囲に属する場合には、充電制御部１０２又は電圧設定部１０３は、温度範囲判定部１０６からの温度範囲情報に応答して、二次電池の電圧の上限値を第２電圧値に設定する（Ｓ５０４，Ｓ５１７）。そして、充電制御部１０２は、第２電圧値に達するまで第２電流値で充電を開始する（Ｓ５１８）。以後のフローは、Ｓ５１３〜Ｓ５１６と同様である。
【００７６】
充電開始時の温度が第１温度範囲に属する場合であっても、電圧検知部１０５が検知した充電開始前の電池電圧が第３電圧値以上である場合には、充電制御部１０２は、電圧比較部１０７からの結果に基づいて、第１設定値に達するまで第３電流値で充電を開始する（Ｓ５１９）。第３電流値は、温度が低く、電池電圧が高い場合に充電しても、リチウム等の危険物質が生成しないような電流とする。第３電流値は第１電流値よりも低くすると好ましい。第３電流値は、予め定めておくと好ましい。
【００７７】
また、充電制御部１０２が第１電流値で充電を開始した状態において、電圧検知部１０５が検知した電池電圧が第３電圧値に達した場合には、充電制御部１０２は、電圧比較部１０７からの比較結果情報に応答して、充電電流を第１電流値から第３電流値に切り替えて充電を継続する（Ｓ５２０；第２定電流充電ステップ）。充電制御部１０２は、電圧設定部１０３からの情報に応答して充電形式を切り替えてもよい。
【００７８】
第３電流値での充電中に、電池電圧が第１電圧値に達する前に、電池関連温度が第２温度範囲に属することになった場合には、充電制御部１０２又は電圧設定部１０３は、温度範囲判定部１０６からの温度範囲情報に応答して、二次電池の電圧の上限値を第２電圧値に変更する（Ｓ５２１，Ｓ５１１）。以後のフローは、Ｓ５１２〜Ｓ５１６と同様である。
【００７９】
第３電流値での充電中に、電池関連温度が第１温度範囲に属したまま、電池電圧が第１電圧値に達した場合には、充電制御部１０２は、電圧比較部１０７からの比較結果情報に応答して、第１電圧値での充電に切り替える（Ｓ５２２，Ｓ５２３；定電圧充電ステップ）。そして、充電電流が予め定められた電流値（充電終止電流値）以下になったら、充電制御部１０２は充電を停止する（Ｓ５２４，Ｓ５２５）。
【００８０】
充電停止後、充電停止中に、電池関連温度が属する温度範囲が第１温度範囲から第２温度範囲に変化した場合には、充電制御部１０２又は電圧設定部１０３は、温度範囲判定部１０６からの温度範囲情報に応答して、二次電池の電圧の上限値を第１電圧値から第２電圧値に変更する（Ｓ５２６，Ｓ５２７）。そして、充電制御部１０２は、温度範囲判定部１０６からの温度範囲情報又は電圧設定部１０３からの上限値情報に応答して、第２電圧値に達するまで第２電流値で充電を開始する（Ｓ５２８）。以後のフローは、Ｓ５１３〜Ｓ５１６と同様である。
【００８１】
図９〜図１２に第６実施形態における充電電圧及び充電電流の推移を示す概略図を示す。図９〜図１２において、実線は充電電圧を示し、破線は充電電流を示す。図９〜図１２において、図８に示すステップ番号（Ｓ）を付記して対応関係を示してある。定電流充電区間においては、充電電流は一定になるように制御され、電池電圧は上昇する。定電圧充電区間においては、電池電圧は一定になるように制御され、充電電流は減衰する。定電流充電において充電電流を下げた場合には、内部抵抗による電圧降下が生じている。
【００８２】
図９は、第１温度範囲において充電を開始し、温度範囲が変化しないまま充電を停止した例である。図９に示す形態においては、第３電圧値まで充電した後、上限電圧を第１電圧値に切り替えると共に、充電電流を第１電流値から第３電流値に切り替えている。
【００８３】
図１０は、第１温度範囲において充電を開始し、第３電圧値に達する前に第２温度範囲に移行した例である。図１０に示す形態においては、温度範囲が変化することによって、上限電圧を第２電圧値に切り替えると共に、充電電流を第１電流値から第２電流値に切り替えている。
【００８４】
図１１は、第１温度範囲において充電を開始し、第３電圧値に達した後、第１電圧値に達する前に第２温度範囲に移行した例である。図１１に示す形態においては、第３電圧値まで充電した後、上限電圧を第１電圧値に切り替えると共に、充電電流を第１電流値から第３電流値に切り替えている。そして、温度範囲が変化することによって、上限電圧を第２電圧値に切り替えると共に、充電電流を第３電流値から第２電流値に切り替えている。
【００８５】
図１２は、第１温度範囲において充電を開始し、第１電圧値まで充電して充電停止した後、第２温度範囲に移行した例である。図１２に示す形態においては、第３電圧値まで充電した後、上限電圧を第１電圧値に切り替えると共に、充電電流を第１電流値から第３電流値に切り替えている。その後、第１電圧値まで充電し、充電を停止している。そして、充電停止中に温度範囲が変化することによって、上限電圧を第２電圧値に切り替えると共に、充電電流を第３電流値から第２電流値に切り替えて、充電を再開している。
【００８６】
上記例においては、定電圧充電時に温度範囲が変化する形態は示さなかった。しかしながら、定電圧充電時に温度範囲が変化する場合にも定電流充電時に温度変化する形態と同様に応用することができる。また、第１温度範囲において定電流充電を２段階に分けたが、３段階以上に分けることも可能である。この場合には、各段階毎に切替電圧値を設定することになる。さらに、第２温度範囲において定電流充電は段階的に分けなかったが、第２温度範囲においても定電流充電を２段階以上に分けることも可能である。
【００８７】
第６実施形態によれば、第１実施形態及び第２実施形態と同様の効果を得ることができる。また、第１温度範囲における定電流充電においては、電池電圧の低い第１段階目では、高電流で充電するので、充電時間を短縮することができる。電池電圧の高い第２段階目では、低電流で充電するので、リチウム等の析出を防止することができる。さらに、温度範囲に応じて、上限電圧及び充電電流を選択するので、充電効率を高めることができる。よって、全体として、安全かつ高速の充電を実施することができる。
【００８８】
第６実施形態の上記以外の形態は、第１〜第５実施形態と同様である。
【００８９】
次に、第７実施形態に係る充電装置の動作、二次電池の充電方法、並びに充電装置を動作させるないし充電方法を制御するプログラムについて説明する。第６実施形態においては、第１温度範囲において第１電圧値での定電圧充電を実施した。第７実施形態においては、第１電圧値での定電圧充電を実施せず、第３電流値での定電流充電によって電池電圧が第１電圧値に達する。第７実施形態のフローチャートは、図８に示すＳ５２３のステップが存在しない以外は、第６実施形態における図８のフローチャートと同様である。
【００９０】
図１３及び図１４に第７実施形態における充電電圧及び充電電流の推移を示す概略図を示す。図１３及び図１４においても、図８に示すステップ番号（Ｓ）を付記して対応関係を示してある。
【００９１】
図１３は、第１温度範囲において充電を開始し、温度範囲が変化しないまま充電を停止した例である。図１３に示す形態においては、第３電圧値まで充電した後、上限電圧を第１電圧値に切り替えると共に、充電電流を第１電流値から第３電流値に切り替えている。しかし、図９とは異なり、第１電圧値での定電圧充電は実施されていない。
【００９２】
図１４は、第１温度範囲において充電を開始し、第１電圧値まで充電して充電停止した後、第２温度範囲に移行した例である。図１４に示す形態においては、第３電圧値まで充電した後、上限電圧を第１電圧値に切り替えると共に、充電電流を第１電流値から第３電流値に切り替えている。その後、第１電圧値まで充電し、充電を停止している。そして、充電停止中に温度範囲が変化することによって、上限電圧を第２電圧値に切り替えると共に、充電電流を第３電流値から第２電流値に切り替えて、充電を再開している。しかし、図１２とは異なり、第１温度範囲において第１電圧値での定電圧充電は実施されていない。
【００９３】
第７実施形態の上記以外の形態は、第１〜第６実施形態と同様である。
【００９４】
次に、第８実施形態に係る充電装置の動作、二次電池の充電方法、並びに充電装置を動作させるないし充電方法を制御するプログラムについて説明する。第８実施形態における充電装置の構成及び温度範囲の設定は第５実施形態と同様である。第１〜第７実施形態においては、温度範囲を２つに区分していたが、温度範囲は３以上に区分することもできる。温度範囲が増えたこと以外は上記実施形態と同様であるので、フローチャートの図示は省略する。
【００９５】
図１５に第８実施形態における充電電圧及び充電電流の推移を示す概略図を示す。第８実施形態においては、第１温度範囲よりも低温側に第３温度範囲を設定している。第１温度範囲と第３温度範囲とは隣接している。第１温度範囲と第３温度範囲の境界温度は任意に設定することができる。例えば、第３温度範囲を−１０℃未満の領域、第１温度範囲を−１０℃以上０℃未満の領域、第２温度範囲を０℃以上の領域とすることができる。
【００９６】
第３温度範囲における充電においては、充電時の上限値として、第１温度範囲の第１電圧値より低い第４電圧値を設定すると好ましい。また、第３温度範囲における定電流充電の充電電流は、第１温度範囲における定電流充電の第１充電電流より低い第４充電電流を設定すると好ましい。リチウムイオン電池の場合、温度が低くなるほど危険物質の析出しやすさが高まるからである。
【００９７】
図１５は、第３温度範囲において充電を開始し、第４電圧値に達する前に第１温度範囲に移行した例である。第１温度範囲に移行した後は、図１１に示す形態と同様である。
【００９８】
第８実施形態によれば、寒冷地の冬季夜間のような極寒状況においても、安全かつ迅速に充電を実施することができる。
【００９９】
第８実施形態は、第１〜第７実施形態に適用することができる。第８実施形態の上記以外の形態は、第１〜第７実施形態と同様である。
【０１００】
次に、第９実施形態に係る充電装置の動作、二次電池の充電方法、並びに充電装置を動作させるないし充電方法を制御するプログラムについて説明する。図１６に、第９実施形態に係る充電装置の動作、二次電池の充電方法、並びに充電装置を動作させるないし充電方法を制御するプログラムを説明するためのフローチャートを示す。第９実施形態における充電装置の構成及び温度範囲の設定は第５実施形態と同様である。第９実施形態においては、上記各実施形態において、電池関連温度が第２温度範囲となり、二次電池の電圧の上限値を第２電圧値に設定ないし変更した後、電池関連温度が第１温度範囲に属することになった場合の形態を示す。図１６においては、第２温度範囲から第１温度範囲に移行する場合の部分的なフローを示している。
【０１０１】
上記各実施形態において、充電制御部１０２又は電圧設定部１０３は、充電時の電池電圧の上限値を第２電圧値に設定する（Ｓ６０１）。そして、充電制御部１０２は、第２電圧値に達するまで第２電流値で充電を開始する（Ｓ６０２）。以後のＳ６０３〜Ｓ６０８については、上記各実施形態と同様である。
【０１０２】
充電中、電池関連温度が第１温度範囲に属することになった場合、充電制御部１０２又は電圧設定部１０３は、温度範囲判定部１０６からの温度範囲情報に応答して、充電時の電圧上限値を第１電圧値に変更する（Ｓ６０９）。
【０１０３】
次に、電圧比較部１０７は、電圧検知部１０５からの電圧情報に応答して、電池電圧が第１電圧値未満であるかを確認する（Ｓ６１０）。電池電圧が第１電圧値未満である場合には、充電制御部１０２は、上記各実施形態と同様にして、第１電圧値まで充電し、充電を停止する（Ｓ６１１〜Ｓ６１３，Ｓ６０７，Ｓ６０８）。電池電圧が第１電圧値以上である場合には、充電制御部１０２は、充電を実施せずに、充電を停止する（Ｓ６０８）。
【０１０４】
第１定電流充電ステップから第２定電流充電ステップへと切り替える第３電圧値が設定されている場合には、Ｓ６１０の前に、電圧比較部１０７は、電池電圧が第３電圧値未満であるかを確認するステップを別途実施する。電池電圧が第３電圧値未満である場合には、充電制御部１０２は、上記各実施形態と同様にして、第１定電流充電ステップ、第２定電流充電ステップ及び定電圧充電ステップを行って第１電圧値まで充電し、充電を停止する。電池電圧が第３電圧値以上である場合には、充電制御部１０２は、第２定電流充電ステップ及び定電圧充電ステップを行って第１電圧値まで充電し、充電を停止する。
【０１０５】
第９実施形態は、第１〜第８実施形態に適用することができる。第９実施形態の上記以外の形態は、第１〜第８実施形態と同様である。
【０１０６】
第９実施形態によれば、充電中に、気温低下、暖房器具や加熱装置の停止等の要因によって電池関連温度が第２温度範囲から第１温度範囲に移行した場合に、危険物質が析出する危険性を低減させることができる。
【０１０７】
第１０実施形態に係る蓄電システムについて説明する。図１７は、第１０実施形態に係る蓄電システムの一例を示す概略図である。
【０１０８】
蓄電システム４００は、少なくとも１つのセルを有する二次電池４０２と、二次電池４０２に接続された上記実施形態に係る充電装置１００，２００，３００のうちの少なくとも１つと、充電装置１００，２００，３００に接続された温度センサ４０１と、を備える。充電装置１００，２００，３００には充電用電源が着脱可能に接続される。充電装置１００，２００，３００は、二次電池４０２の充電を行う。
【０１０９】
温度センサ４０１は、上述の電池関連温度を検知するセンサである。温度センサ４０１は、例えば、セル表面、セル間、セルに接続された導体のうち少なくとも１つの温度を検知するように設置することができる。また、温度センサ４０１は、例えば、二次電池４０２、充電装置１００，２００，３００又は蓄電システム４００が置かれた環境の温度を検知するように設置してもよい。温度センサ４０１は、複数の箇所の温度を検知するように複数設置してもよい。
【０１１０】
蓄電システム４００による充電方法は、上述の充電方法と同様である。
【０１１１】
第１０実施形態によれば、上記実施形態に係る充電装置と同様の効果を得ることができる。例えば、電池関連温度が低い条件で充電を開始した場合であっても、充電開始後に電池関連温度が高くなった場合に、二次電池の電池容量をより高めることができる。また、より短時間で充電することができる。さらに、安全に充電を実施することができる。
【０１１２】
第１１実施形態に係る蓄電システムについて説明する。図１８は、第１１実施形態に係る蓄電システムの一例を示す概略図である。第１１実施形態に係る蓄電システムは、第１０実施形態に係る蓄電システムの好ましい形態である。
【０１１３】
蓄電システム５００は、少なくとも１つのセルを有する二次電池４０２と、二次電池４０２の充電制御及び放電制御や二次電池４０２の保護管理を行う電池管理ユニット（ＢＭＵ；Battery Management Unit）４０３と、二次電池４０２と電源や負荷との間の直流電力と交流電力の変換、電圧や周波数の調整等を行うパワーコンディショナ（ＰＣＳ；Power Conditioner System）４０４と、ＢＭＵ４０３及びＰＣＳの制御、監視等を行うシステムコントローラ（ＳＣ；System Controller）４０５と、を備える。ＢＭＵ４０３、ＰＣＳ４０４及びＳＣ４０５は相互通信可能に接続されている。ＰＣＳ４０４には充電用電源が接続される。図１８においては、ＰＣＳとＳＣとは別個の要素として図示したが、図示の形態は、１つの要素にＰＣＳ及びＣＳが組み込まれている形態も含む。
【０１１４】
上記実施形態に係る充電装置１００，２００，３００は、ＢＭＵ４０３に組み込まれている。温度センサ４０１及び二次電池４０２は、充電装置１００，２００，３００に接続されている。
【０１１５】
プログラムは、例えばＳＣ４０５に組み込むことができる。プログラムは、各部の動作及び上記充電方法の各ステップを充電装置に実行させる。
【０１１６】
第１１実施形態の上記以外の形態は、第１０実施形態と同様である。
【０１１７】
第１１実施形態によれば、第１０実施形態と同様の効果を得ることができる。
【０１１８】
本発明の充電装置、蓄電システム、充電方法及びプログラムは、上記実施形態に基づいて説明されているが、上記実施形態に限定されることなく、本発明の範囲内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の全開示の枠内において、種々の開示要素（各請求項の各要素、各実施形態ないし実施例の各要素、各図面の各要素等を含む）の多様な組み合わせ・置換ないし選択が可能である。
【０１１９】
本発明のさらなる課題、目的及び展開形態は、請求の範囲を含む本発明の全開示事項からも明らかにされる。
【０１２０】
方法の各ステップはプログラムの処理ステップとすることができる。
【０１２１】
本書に記載した数値範囲については、当該範囲内に含まれる任意の数値ないし小範囲が、別段の記載のない場合でも具体的に記載されているものと解釈されるべきである。
【０１２２】
上記実施形態の一部又は全部は、以下の付記のようにも記載されうるが、以下の記載には限定されない。
【０１２３】
［付記１］
温度検知部と、
前記温度検知部での予め定められた第１の温度範囲内の第１の温度の検知結果に応答して、二次電池の電圧の上限値を前記第１の温度範囲に対応する第１の電圧値に可変させ、前記二次電池の充電を前記上限値に達するまでとする制御を行う充電制御部と、
を備える充電装置。
【０１２４】
［付記２］
予め定められた第２の温度範囲内の第２の温度を検知していた前記温度検知部での前記第２の温度範囲内の温度から前記第１の温度範囲内の温度の検知結果に応答して、前記充電制御部は、前記第２の温度範囲に対応する第２の電圧値から前記第１の電圧値に前記上限値を可変させ、前記上限値が前記第２の電圧値では停止していた前記二次電池の充電を開始し、前記二次電池をあらたな前記上限値である前記第１の電圧値まで充電する制御を行う充電装置。
【０１２５】
［付記３］
予め定められた第２の温度範囲内の第２の温度を検知していた前記温度検知部での前記第２の温度範囲内の温度から前記第１の温度範囲内の温度の検知結果に応答して、前記充電制御部は、前記第２の温度範囲に対応する第２の電圧値から前記第１の電圧値に前記上限値を可変させ、前記上限値が前記第２の電圧値では充電中の前記二次電池に対して前記充電を継続し、前記二次電池をあらたな前記上限値である前記第１の電圧値まで充電する制御を行う充電装置。
【０１２６】
［付記４］
前記第１の電圧値は前記第２の電圧値よりも高い充電装置。
【０１２７】
［付記５］
前記充電制御部は、前記検知温度が前記第２の温度範囲に属することに基づいて前記上限値を前記第２の電圧値に設定し、前記検知温度が、前記第２の温度範囲よりも高い範囲にある前記第１の温度範囲に属することに基づいて前記上限値を前記第１の電圧値に設定する充電装置。
【０１２８】
［付記６］
前記第２の温度範囲は０℃未満の範囲を含む充電装置。
【０１２９】
［付記７］
前記第１の温度範囲は０℃以上の範囲を含む充電装置。
【０１３０】
［付記８］
前記第１の温度範囲内の温度を検知していた前記温度検知部での前記第１の温度範囲から前記第２の温度範囲内の温度の検知結果に基づき、
前記充電制御部は、前記上限値を前記第１の電圧値から前記第２の電圧値に可変させる充電装置。
【０１３１】
［付記９］
前記第２の温度範囲に属する温度を検知した前記温度検知部からの温度情報に応答して、前記充電制御部は、前記二次電池の電圧が予め定められた第３の電圧値に達するまで前記二次電池を第１の電流値で充電し、前記電圧が前記第３の電圧値に達したことの検出に応答して、前記第１の電流値よりも低い第２の電流値で前記第２の電圧値に達するまで前記二次電池の充電を行う充電装置。
【０１３２】
［付記１０］
前記電圧が前記第２の電圧値に達したことの検出に応答して、前記充電制御部は、予め定められた第３の電流値となるまで前記第２の電圧値で前記二次電池の充電を行う充電装置。
【０１３３】
［付記１１］
前記第１の温度範囲に属する温度を検知した前記温度検知部からの温度情報に応答して、前記充電制御部は、前記二次電池の電圧が前記第１の電圧値に達するまで前記二次電池を第４の電流値で充電し、前記電圧が前記第１の電圧値に達したことの検出に応答して、前記充電制御部は、充電電流が予め定められた第５の電流値となるまで前記第１の電圧値で前記二次電池の充電を行う充電装置。
【０１３４】
［付記１２］
前記第４の電流値は、前記第１の電流値よりも高い充電装置。
【０１３５】
［付記１３］
温度検知部と、
前記温度検知部での検知温度に基づき、二次電池の電圧の上限値を可変に設定する電圧設定部と、
前記温度検知部での予め定められた第１の温度範囲内の第１の温度の検知結果に基づき、前記上限値を可変させた前記電圧設定部からの前記上限値情報に応答して、前記二次電池の充電を前記上限値に達するまでとする制御を行う充電制御部と、
を備える充電装置。
【０１３６】
［付記１４］
前記上限値を第２の電圧値から前記第１の電圧値に変更した前記電圧設定部からの前記上限値情報に応答して、前記充電制御部は、前記上限値が前記第２の電圧値では停止していた前記二次電池の充電を開始し、前記二次電池をあらたな前記上限値である前記第２の電圧値まで充電する制御を行う充電装置。
【０１３７】
［付記１５］
前記上限値を第２の電圧値から前記第１の電圧値に変更した前記電圧設定部からの前記上限値情報に応答して、前記充電制御部は、前記上限値が前記第２の電圧値では充電中の前記二次電池に対して前記充電を継続し、前記二次電池をあらたな前記上限値である前記第２の電圧値まで充電する制御を行う充電装置。
【０１３８】
［付記１６］
前記第２の電圧値は前記第１の電圧値よりも高い充電装置。
【０１３９】
［付記１７］
前記電圧設定部は、前記検知温度が第２の温度範囲に属することに基づいて前記上限値を前記第２の電圧値に設定し、前記検知温度が、前記第２の温度範囲よりも高い範囲にある前記第１の温度範囲に属することに基づいて前記上限値を前記第１の電圧値に設定する充電装置。
【０１４０】
［付記１８］
前記第２の温度範囲は０℃未満の範囲を含む充電装置。
【０１４１】
［付記１９］
前記第１の温度範囲は０℃以上の範囲を含む充電装置。
【０１４２】
［付記２０］
前記第１の温度範囲内の温度を検知していた前記温度検知部での前記第１の温度範囲から前記第２の温度範囲内の温度の検知結果に基づき、
前記電圧設定部は、前記上限値を前記第１の電圧値から前記第２の電圧値に可変させる充電装置。
【０１４３】
［付記２１］
前記上限値を前記第２の電圧値に設定した前記電圧設定部からの前記上限値情報に応答して、前記充電制御部は、前記二次電池の電圧が予め定められた第３の電圧値に達するまで前記二次電池を第１の電流値で充電し、前記電圧が前記第３の電圧値に達したことの検出に応答して、前記第１の電流値よりも低い第２の電流値で前記第２の電圧値に達するまで前記二次電池の充電を行う充電装置。
【０１４４】
［付記２２］
前記電圧が前記第２の電圧値に達したことの検出に応答して、前記充電制御部は、予め定められた第３の電流値となるまで前記第２の電圧値で前記二次電池の充電を行う充電装置。
【０１４５】
［付記２３］
前記上限値を前記第１の電圧値に設定した前記電圧設定部からの前記上限値情報に応答して、前記充電制御部は、前記二次電池の電圧が前記第１の電圧値に達するまで前記二次電池を第４の電流値で充電し、前記電圧が前記第１の電圧値に達したことの検出に応答して、前記充電制御部は、充電電流が予め定められた第３の電流値となるまで前記第１の電圧値で前記二次電池の充電を行う充電装置。
【０１４６】
［付記２４］
前記第５の電流値は、前記第１の電流値よりも高い充電装置。
【０１４７】
［付記２５］
前記温度検知部が検知する温度は、前記二次電池のいずれかの部分の温度、前記二次電池が置かれた環境の温度及び前記充電装置が置かれた環境の温度のうちの少なくとも１つである充電装置。
【０１４８】
［付記２６］
前記二次電池はリチウムイオン電池である充電装置。
【０１４９】
［付記２７］
前記温度検知部は、前記充電制御部が充電を停止している状態及び充電を行っている状態において時間的に離間して間隔をもった検知を行う充電装置。
【０１５０】
［付記２８］
付記に係る充電装置と、
前記充電装置に接続された前記二次電池と、
前記温度検知部に接続された温度センサと、を備える蓄電システム。
【０１５１】
［付記２９］
前記二次電池の充電及び放電を管理する電池管理ユニットをさらに備え、
前記電池管理ユニットは前記充電装置を備える蓄電システム。
【０１５２】
［付記３０］
前記二次電池と充電用電源を接続するためのパワーコンディショナと、
前記電池管理ユニット及び前記パワーコンディショナを制御するシステムコントローラと、をさらに備え、
前記電池管理ユニット、前記パワーコンディショナ及び前記システムコントローラは相互に接続されている蓄電システム。
【０１５３】
［付記３１］
付記に係る充電装置を動作させるプログラム。
【０１５４】
［付記３２］
二次電池の電圧の上限値を、予め定められた第１の温度範囲に対応する第１の電圧値に設定する工程と、
前記二次電池に関連する温度を検知する工程と、
予め定められた第２の温度範囲に属する温度を検知したことに応答して、前記上限値を前記第１の電圧値から第２の電圧値に変更する工程と、
前記第２の温度範囲に属する温度を検知したことに応答して、前記二次電池を前記第２電圧値まで充電する工程と、
を含む二次電池の充電方法。
【０１５５】
［付記３３］
前記上限値が前記第１の電圧値で充電停止中の状態において、前記第２の温度範囲に属する温度を検知したことに応答して、前記二次電池の充電を開始する充電方法。
【０１５６】
［付記３４］
前記二次電池の電圧が前記第１の電圧値に達するまで前記二次電池を充電して、充電を停止する工程をさらに含む充電方法。
【０１５７】
［付記３５］
前記第１の電圧値を前記上限値として前記二次電池を充電している状態において、前記第２の温度範囲に属する温度を検知したことに応答して、前記二次電池の充電を継続しながら前記上限値を前記第１の電圧値から前記第２電圧値に変更する充電方法。
【０１５８】
［付記３６］
二次電池の電圧の上限値を、予め定められた第１の温度範囲に対応する第１の電圧値に設定する工程と、
前記二次電池に関連する温度を検知する工程と、
予め定められた第２の温度範囲に属する温度を検知したことに応答して、前記上限値を前記第１の電圧値から第２の電圧値に変更する工程と、
前記上限値に前記第２の電圧値が設定されたことに応答して、前記二次電池を前記第２電圧値まで充電する工程と、
を含む二次電池の充電方法。
【０１５９】
［付記３７］
前記上限値が前記第１の電圧値で充電停止中の状態において、前記上限値に前記第２の電圧値が設定されたことに応答して、前記二次電池の充電を開始する充電方法。
【０１６０】
［付記３８］
前記二次電池の電圧が前記第１の電圧値に達するまで前記二次電池を充電して、充電を停止する工程をさらに含む充電方法。
【０１６１】
［付記３９］
前記第１の電圧値を前記上限値として前記二次電池を充電している状態において、前記二次電池の充電を継続しながら前記上限値を前記第１の電圧値から前記第２電圧値に変更する充電方法。
【０１６２】
［付記４０］
前記第２の電圧値は前記第１の電圧値よりも高い充電方法。
【０１６３】
［付記４１］
前記上限値として前記第２の電圧値を設定している状態において、前記第１の温度範囲に属する温度を検知したことに応答して、前記上限値を前記第２の電圧値から前記第１の電圧値に変更する工程をさらに含む充電方法。
【０１６４】
［付記４２］
前記第１の電圧値を前記上限値として前記二次電池を充電する工程をさらに含み、
当該工程は、
予め定められた第３の電圧値に達するまで前記二次電池を第１の電流値で充電する工程と、
前記二次電池の電圧が前記第３の電圧値に達したことに応答して、前記第１の電圧値に達するまで、前記第１の電流値よりも低い第２の電流値で前記二次電池を充電する工程と、を含む二次電池の充電方法。
【０１６５】
［付記４３］
前記第１の電圧値を前記上限値として前記二次電池を充電する工程は、前記二次電池の電圧が前記第１の電圧値に達したことに応答して、充電電流が予め定められた第３の電流値になるまで前記第１の電圧値で前記二次電池を充電する工程をさらに含む二次電池の充電方法。
【０１６６】
［付記４４］
前記二次電池を前記第２電圧値まで充電する工程は、
前記二次電池の電圧が前記第２の電圧値に達するまで前記二次電池を第４の電流値で充電する工程と、
前記二次電池の電圧が前記第２の電圧値に達したことに応答して、充電電流が予め定められた第５の電流値になるまで前記第２の電圧値で前記二次電池を充電する工程と、を含む二次電池の充電方法。
【０１６７】
［付記４５］
前記第４電流値は、前記第１の電流値よりも高い二次電池の充電方法。
【０１６８】
［付記４６］
前記第１の温度範囲は０℃未満の範囲を含む充電方法。
【０１６９】
［付記４７］
前記第２の温度範囲は０℃以上の範囲を含む充電方法。
【０１７０】
［付記４８］
前記温度は、前記二次電池のいずれかの部分の温度、前記二次電池が置かれた環境の温度、及び前記二次電池を充電する蓄電システムが置かれた環境の温度のうちの少なくとも１つの温度である充電方法。
【０１７１】
［付記４９］
前記二次電池はリチウムイオン電池である充電方法。
【０１７２】
［付記５０］
少なくとも、前記二次電池と充電用電源を接続したときから前記二次電池の電圧が前記第２の電圧値に達するまでの間、時間的に離間して間隔をもって前記温度の検知を行う二次電池の充電方法。
【０１７３】
［付記５１］
付記に係る充電方法を制御するためのプログラム。
【０１７４】
［付記５２］
付記に係る充電装置を備える自動車。
【０１７５】
［付記５３］
付記に係る蓄電システムを備える自動車。
【０１７６】
［付記５４］
付記に係る充電装置を備える電動機。
【０１７７】
［付記５５］
付記に係る蓄電システムを備える電動機。
【０１７８】
［付記５６］
付記に係る充電装置を備える携帯機器。
【０１７９】
［付記５７］
付記に係る蓄電システムを備える携帯機器。
【０１８０】
［付記５８］
付記に係る充電装置を備える携帯電源。
【０１８１】
［付記５９］
付記に係る蓄電システムを備える携帯電源。
【産業上の利用可能性】
【０１８２】
本発明の充電装置、蓄電システム、充電方法及びプログラムは、二次電池、特にリチウムイオン電池、の充電に好適に適用することができる。例えば、二次電池を搭載する自動車、携帯機器、電動機、携帯型電源等に好適に適用することができる。
【符号の説明】
【０１８３】
１００，２００，３００          充電装置
１０１          温度検知部
１０２          充電制御部
１０３          電圧設定部
１０４          接続検知部
１０５          電圧検知部
１０６          温度範囲判定部
１０７          電圧比較部
１０８          記憶部
４００，５００          蓄電システム
４０１          温度センサ
４０２          二次電池
４０３          電池管理ユニット
４０４          パワーコンディショナ
４０５          システムコントローラ
【図１】
2015064734.tif 000003
【図２】
2015064734.tif 000004
【図３】
2015064734.tif 000005
【図４】
2015064734.tif 000006
【図５】
2015064734.tif 000007
【図６】
2015064734.tif 000008
【図７】
2015064734.tif 000009
【図８】
2015064734.tif 000010
【図９】
2015064734.tif 000011
【図１０】
2015064734.tif 000012
【図１１】
2015064734.tif 000013
【図１２】
2015064734.tif 000014
【図１３】
2015064734.tif 000015
【図１４】
2015064734.tif 000016
【図１５】
2015064734.tif 000017
【図１６】
2015064734.tif 000018
【図１７】
2015064734.tif 000019
【図１８】
2015064734.tif 000020
【国際調査報告】
2015064734.tif 000021
2015064734.tif 000022